(57)【要約】【課題】  パネルユニット同士のつなぎ目部分の気密・水密性の確保が容易なパネル体の提供。【解決手段】  上下方向及び左右方向に並べて配置した複数のパネルユニット９，９，…と、気密ブロック１０とを備え、気密ブロック１０は、下段の左右のパネルユニット９，９の縦枠１１，１２間に嵌合して配置してあり、上段の左右のパネルユニット９，９の縦枠１１，１２の下端と、上段の左右のパネルユニット９，９の縦枠１１，１２間に設けたウインドバリア４７の下端が気密ブロック１０の上面５３に当接しており、レインバリア４６の下端が気密ブロック１０の上面５７に対向している。【選択図】      図７
2018204232.tif 000002
【特許請求の範囲】
【請求項１】
上下方向及び左右方向に並べて配置した複数のパネルユニットと、気密ブロックとを備え、気密ブロックは、下段の左右のパネルユニットの縦枠間に嵌合して配置してあり、上段の左右のパネルユニットの縦枠の下端と、上段の左右のパネルユニットの縦枠間に設けたウインドバリアの下端が気密ブロックの上面に当接しており、レインバリアの下端が気密ブロックの上面に対向していることを特徴とするパネル体。
【発明の詳細な説明】
【技術分野】
【０００１】
本発明は、ビルの外壁等に用いられるカーテンウォール等のパネル体に関する。
【背景技術】
【０００２】
従来より、パネルユニットを上下方向及び左右方向に並べて配置したカーテンウォールが知られている。従来、かかるカーテンウォールにおいては、図１５に示すように、各パネルユニット９０の隅角部４か所に発泡ゴム等で形成したキャッチパン９１を取付けておき、上下左右の４つのパネルユニット９０，９０，９０，９０のつなぎ目部分においてこれらのキャッチパン９１，９１，９１，９１を相互に押し付け合うことで、パネルユニット同士のつなぎ目部分からの雨水の浸入を防いでいる。しかし、パネルユニットの施工誤差等により、４つのキャッチパンを均等に押し潰すことは困難で、キャッチパン間に隙間が生ずることがあり、気密・水密性を確保するのが困難であった。
【発明の概要】
【発明が解決しようとする課題】
【０００３】
本発明は以上に述べた実情に鑑み、パネルユニット同士のつなぎ目部分の気密・水密性の確保が容易なパネル体の提供を目的とする。
【課題を解決するための手段】
【０００４】
上記の課題を達成するために請求項１記載の発明によるパネル体は、上下方向及び左右方向に並べて配置した複数のパネルユニットと、気密ブロックとを備え、気密ブロックは、下段の左右のパネルユニットの縦枠間に嵌合して配置してあり、上段の左右のパネルユニットの縦枠の下端と、上段の左右のパネルユニットの縦枠間に設けたウインドバリアの下端が気密ブロックの上面に当接しており、レインバリアの下端が気密ブロックの上面に対向していることを特徴とする。
【発明の効果】
【０００５】
請求項１記載の発明によるパネル体は、気密ブロックが下段の左右のパネルユニットの縦枠間に嵌合して配置してあり、上段の左右のパネルユニットの縦枠の下端と、上段の左右のパネルユニットの縦枠間に設けたウインドバリアの下端が気密ブロックの上面に当接しており、レインバリアの下端が気密ブロックの上面に対向していることで、パネルユニット同士のつなぎ目部分の気密・水密性の確保が容易である。
【図面の簡単な説明】
【０００６】
【図１】図２のＡ部拡大図である。
【図２】図５のＡ−Ａ断面図である。
【図３】図５のＢ−Ｂ断面図である。
【図４】図５のＣ−Ｃ断面図である。
【図５】本発明のパネル体の一実施形態を示す室外側正面図である。
【図６】図５のＤ−Ｄ断面図である。
【図７】上下のパネルユニットの縦枠間における気密ブロックの設置状態を示す縦断面図である。
【図８】同気密ブロックの斜視図である。
【図９】（ａ）は同気密ブロックの平面図、（ｂ）は同気密ブロックの側面図、（ｃ）は同気密ブロックの正面図である。
【図１０】下段の左右のパネルユニットと気密ブロックを分離した状態で示す斜視図である。
【図１１】下段の左右のパネルユニットの縦枠間に嵌合して気密ブロックを取付け、上段の片方のパネルユニットを分離した状態で示す斜視図である。
【図１２】下段の左右のパネルユニットの縦枠間に嵌合して気密ブロックを取付け、上段の片方のパネルユニットを取付けた状態を示す斜視図である。
【図１３】さらに上段のもう片方のパネルユニットも取付けた状態を示す斜視図である。
【図１４】ガスケットの枠に取付ける前の状態の断面図である。
【図１５】従来のカーテンウォールにおけるキャッチパンの設置状態の例を示す室外側正面図である。
【発明を実施するための形態】
【０００７】
以下、本発明の実施の形態を図面に基づいて説明する。図１〜７は、本発明によるパネル体の一実施形態であって、ビルの外壁を成すカーテンウォールに適用した例を示している。本パネル体は、図５に示すように、複数のパネルユニット９，９，…を上下方向及び左右方向に並べて配置して構成される。各パネルユニット９は、アルミ形材よりなる上枠１３と下枠１４と左右の縦枠１１，１２を枠組みし、上枠１３と下枠１４の中間部にアルミ形材よりなる中骨１５を架設し、左右の縦枠１１，１２と中骨１５間にアルミ形材よりなる無目１６を架設して縦長長方形の田の字形の枠１を形成し、当該枠１の４つの開口部にそれぞれガラス製のパネル２ａ，２ｂを取付けて構成したものである。一つのパネルユニット９は、図６に示すように、建物１階分の高さを有し、スパンドレル部１７とビジョン部１８を一体に有している。すなわち、上枠１３と無目１６の間の部分がスパンドレル部１７となり、無目１６と下枠１４の間の部分がビジョン部１８となっている。各パネルユニット９は、ファスナ１９により建物の躯体２０に取付けてある。
【０００８】
下枠１４は、図１に示すように、室外側見込壁２１と見付壁２２と室内側見込壁２３とで略階段状に形成されている。室外側見込壁２１の室外側端部内周側面にはガスケット３が取付けてあり、ガスケット３によりパネル２ｂの室外側面を保持している。パネル２ｂの室内側は、見付壁２２の室外側面に取付けたガスケット２４と、ガスケット２４の内周側にパネル２ｂの室内側面と見付壁２２の室外側面との間に充填したシール材２５により保持している。
【０００９】
パネル２ｂの室外側を保持するガスケット３についてより詳しく説明する。下枠１４の室外側見込壁２１の室外側端部内周側面には、図１に示すように、Ｌ字形断面の突条２６とＴ字形断面の突条２７とが見込方向に間隔をおいて設けてあり、これら２条の突条２６，２７間に奥側が入口側よりも幅広となったあり溝４が形成されると共に、あり溝４の室内側に室内側に向けて突出した係止部５が形成されている。あり溝４と係止部５は、パネル２ｂの端面よりも外周側にあって、下枠１４はパネル２ｂの室外側に重なる部分を有していない。
ガスケット３は、略直角三角形状の断面となっており、外周側面に下枠１４のあり溝４に嵌合する嵌合部６と、下枠１４の係止部５に係止する被係止部７と、室外側の突条２６を被覆する被覆部２８を有しており、室内側面に垂直なパネル当接面５９と、パネル当接面５９の内周側端部に設けたリップ部８を有している。ガスケット３は、嵌合部６をあり溝４に嵌合すると共に被係止部７を係止部５に係止して下枠１４の内周側面に取付けてあり、リップ部８がパネル２ｂの室外側面に圧着している。ガスケット３を下枠１４に取付ける前の状態では、図１４に示すように、リップ部８はパネル当接面５９よりもパネル２ｂ側（室内側）に倒れ込むように内周側に傾斜してのびるフィン状であり、ガスケット３を下枠１４に取付けると、図１に示すように、リップ部８はパネル２ｂの室外側面に沿うように変形し、リップ部８がパネル２ｂを押圧する。
【００１０】
図１に示すように、上枠１３の見込壁２９の室外側端部内周側面にも、下枠１４と同様にガスケット３が取付けてあり、該ガスケット３によりパネル２ａの室外側を保持している。なお、スパンドレル部１７のパネル２ａは、室内側もガスケット３０のみで保持している。
図３に示すように、縦枠１１，１２の見込壁３１の室外側端部内周側面にも、下枠１４と同様にガスケット３が取付けてあり、該ガスケット３によりパネル２ａ，２ｂの室外側を保持している。
さらに、図２，４に示すように、無目１６の見込壁３２の室外側端部、中骨１５の見込壁３３の室外側端部にも、下枠１４と同様にガスケット３が取付けてあり、該ガスケット３によりパネル２ａ，２ｂの室外側を保持している。
【００１１】
このように本パネル体は、パネル２ａ，２ｂの室外側が全て枠１内周側面に取付けたガスケット３により保持され、パネル２ａ，２ｂの室外側に重なる押縁やアルミの片を有しないものとなっている。これにより本パネル体は、室外側から見て枠１が目立たず、意匠性に優れたものとなっている。
パネル２ａ，２ｂに負圧が作用すると、図１に示すように、ガスケット３に嵌合部６を支点として室外向きのモーメントＭがかかるが、枠１はあり溝４の室内側に係止部５を有し、ガスケット３の被係止部７が枠１の係止部５に係止していることで、ガスケット３が前記モーメントＭに対して抵抗し、ガスケット３の転びが防がれ、且つリップ部８がパネル２ａ，２ｂの室外側に圧着していることで、パネル２ａ，２ｂに負圧が作用してもパネル２ａ，２ｂを安定して保持できる。一方、パネル２ａ，２ｂに正圧が作用すると、パネル２ａ，２ｂがガスケット３から離れようとするが、ガスケット３のリップ部８は、パネル当接面５９よりもパネル２ａ，２ｂ側（室内側）に倒れ込むように内周側に傾斜したものなのでパネル２ａ，２ｂの移動に追従して変形し、パネル２ａ，２ｂを押圧する作用が働くので、パネル２ａ，２ｂに正圧が作用してもパネル２ａ，２ｂを安定して保持でき、水の浸入を防ぐことができる。
【００１２】
図１，２に示すように、下枠１４の室内側見込壁２３の下面には、略矩形の中空断面の雄部３４が設けてある。上枠１３の上面には、室内外方向の中間部と室内側端部とに起立壁３５ａ，３５ｂが設けてあり、これら一対の起立壁３５ａ，３５ｂにより雌部３６が形成してある。上下に隣接するパネルユニット９，９は、上段のパネルユニット９の下枠１４下面の雄部３４を、下段のパネルユニット９の上枠１３上面の雌部３６に上下方向から嵌合させて連結してある。上枠１３の室内外方向中間部の起立壁３５ａの上端部には、室内側に向けてレインバリアガスケット３７が上枠１３の長手方向に沿って取付けてあり、レインバリアガスケット３７は上段のパネルユニット９の下枠１４の雄部３４の室外側面に当接している。上枠１３の室内側の起立壁３５ｂの上端部には、室外側に向けてウインドバリアガスケット３８が上枠１３の長手方向に沿って設けてあり、ウインドバリアガスケット３８は上段のパネルユニット９の下枠１４の雄部３４の室内側面に当接している。
このように本パネル体は、上下に隣接するパネルユニット９，９の下枠１４と上枠１３を雄部３４と雌部３６で嵌合すると共に、嵌合部３９にガスケット（レインバリアガスケット３７、ウインドバリアガスケット３８）を室外側と室内側に二重に介在させたことで、上下に隣接するパネルユニット９，９の下枠１４と上枠１３の間からの雨風の浸入を防ぐことができる。
さらに本パネル体は、前記嵌合部３９よりも室外側で下枠１４下面に取付けたヒレ状のスプラッシュバリアガスケット４０を、室外側に湾曲した状態で上枠１３上面に当接しており、これにより雨水の浸入を防いでいる。また、本パネルユニットは、図２に示すように、上段のパネルユニット９の下枠１４と下段のパネルユニット９の上枠１３の間を通り、室内に外気を導入する外気導入経路４１を備えている。
【００１３】
図３に示すように、隣接する縦枠１１，１２のうち室外側から見て左側の縦枠１１は、室内側の外周側面に一対の突条４２ａ，４２ｂよりなる雄部４３を有しており、室外側から見て右側の縦枠１２は、室内側の外周側面に一対の突条４４ａ，４４ｂよりなる雌部４５を有しており、この雄部４３を雌部４５に挿入することで左右に隣接するパネルユニット９，９の縦枠１１，１２を左右方向から嵌合させている。雌部４５の室外側の突条４４ａには、室内側に向けてレインバリアガスケット４６が縦枠１２の長手方向に沿って取付けてあり、レインバリアガスケット４６は雄部４３の室外側の突条４２ａの室外側面に当接している。雌部４５の室内側の突条４４ｂには、室外側に向けてウインドバリアガスケット４７が縦枠１２の長手方向に沿って取付けてあり、ウインドバリアガスケット４７は雄部４３の室内側の突条４２ｂの室内側面に当接している。
このように本パネル体は、左右に隣接するパネルユニット９，９の縦枠１１，１２を雄部４３と雌部４５で嵌合すると共に、嵌合部４８にガスケット（レインバリアガスケット４６、ウインドバリアガスケット４７）を室外側と室内側に二重に介在させたことで、左右に隣接するパネルユニット９，９の縦枠１１，１２間からの雨水の浸入を防ぐことができる。
室外側から見て左側の縦枠１１は、雄部４３の室内側の突条４２ｂの室内側にさらに突条４９を有し、その突条４９の先端部に室外側に向けてガスケット５０が取付けてあり、該ガスケット５０を雌部４５の室内側の突条４４ｂの室内側面に当接することで、水密性・気密性を一層向上させている。
さらに本パネル体は、雄部４３と雌部４５とによる嵌合部４８の室外側に、左右の縦枠１１，１２から互い違いに突出する突条５１ａ，５１ｂ，５１ｃ，５１ｄを有していると共に、室外側から見て左側の縦枠１１の室外側端部に、左右の縦枠１１，１２間の隙間を隠す目地部５２を有しており、これにより嵌合部４８まで雨水が到達しにくくなっている。
【００１４】
上段の左右のパネルユニット９，９の縦枠１１，１２の下端部と、下段の左右のパネルユニット９，９の縦枠１１，１２の上端部との間には、図３，７に示すように、一つの気密ブロック１０が設けてある。気密ブロック１０は、発泡シリコーン等で一体成形されたブロック状のもので、図８，９に示すように、平らな上面５３と下面５４を有し、下面５４には略矩形断面の柱状の突部５５を有している。上面５３の室外側寄りの位置には凹部５６が形成してあり、凹部５６の底面５７は室外側に向かって下向きに傾斜している。凹部５６の底面５７の室外側端部には排水孔６０が設けてある。気密ブロック１０の室外側端部には、垂下片６１と延出片６２とからなる隙間塞ぎ部６３を有している。延出片６２の下面には、下段の左右のパネルユニット９，９の縦枠１１，１２に係止する係止部６４ａ，６４ｂが設けてある。
【００１５】
本気密ブロック１０は、図３，７に示すように、下段の左右に隣接するパネルユニット９，９の縦枠１１，１２の雄部４３と雌部４５による嵌合部４８に突部５５を上方から嵌合して配置され、気密ブロック１０の上面５３に上段の左右に隣接するパネルユニット９，９の縦枠１１，１２の下端面が圧接し、気密ブロック１０の下面５４に下段の左右に隣接するパネルユニット９，９の縦枠１１，１２の上端面が圧接しており、これにより気密ブロック１０は上下方向に６ｍｍ程度押し潰され、上下のパネルユニット９，９，９，９の縦枠１１，１２間の隙間を塞いでいる。また、図７，１２に示すように、上段の左右のパネルユニット９，９の縦枠１１，１２間に設けたウインドバリアガスケット４７の下端が気密ブロック１０の上面５３に当接し、レインバリアガスケット４６の下端が気密ブロック１０の上面（本実施形態では凹部５６の底面５７）に対向している。また、下段の左右のパネルユニット９，９の縦枠１１，１２間に設けたレインバリアガスケット４６及びウインドバリアガスケット４７の上端が気密ブロック１０の下面５４に当接している。また、気密ブロック１０の隙間塞ぎ部６３が下段の左右のパネルユニット９，９の縦枠１１，１２の上端の小口に当接し、縦枠１１，１２間の隙間を塞いでいる。
気密ブロック１０の左右の側面５８，５８には、図７，１１に示すように、上段のパネルユニット９，９の下枠１４の雄部３４の左右端面が当接している。また、下段の左右のパネルユニット９，９の上枠１３のレインバリアガスケット３７及びウインドバリアガスケット３８の左右端が気密ブロック１０の側面５８に当接している。
【００１６】
このように気密ブロック１０を設けたことで、上下左右のパネルユニット９，９，９，９のつなぎ目部分からの雨水の浸入を確実に防ぐことができる。また、左右に隣接するパネルユニット９，９の縦枠１１，１２同士の嵌合部４８に雨水が浸入したとしても、図７中の矢印６５に示すように、気密ブロック１０の上面５３の凹部５６の傾斜した底面５７と排水孔６０を通じて、雨水をレインバリアガスケット４６よりも室外側に排水できる。上段のパネルユニット９，９の縦枠１１，１２間に設けたウインドバリアガスケット４７の下端が気密ブロック１０の上面に当接していることで、ウインドバリアガスケット４７よりも室内側に風雨が吹き込むのを防止できる。
【００１７】
次に、本パネル体の施工手順を説明する。まず、各パネルユニット９を予め組み立てる。パネルユニット９の組立ては、上下枠１３，１４と縦枠１１，１２と中骨１５と無目１６とで枠１を形成した後、枠１の各開口部に室外側からパネル２ａ，２ｂを嵌め込み、枠１の室外側にガスケット３を取付けてパネル２ａ，２ｂを固定する。次に、組み立てたパネルユニット９，９，…を建物の内部に搬入する。次に、建物の内部側からフォークリフト等を使用してパネルユニット９を一枚ずつ持ち上げて所定の位置に配置し、躯体２０にファスナ１９で順次取付ける。パネルユニット９の取付けは、下段の左右方向の一方側から行い、取付けるパネルユニット９を所定の高さに保持した後、先に取付けたパネルユニット９側に横にスライドして、縦枠１１，１２の雄部４３と雌部４５を嵌合させる。その後、図１０，１１に示すように、縦枠１１，１２の雄部４３と雌部４５との嵌合部４８に突部５５を嵌合させて気密ブロック１０を上方から取付ける。その後、図１２，１３に示すように、上段のパネルユニット９を、縦枠１１，１２同士を雄部４３と雌部４５で嵌合させながら、下枠１４の雄部３４を下段のパネルユニット９の上枠１３の雌部３６に上方から嵌合させて取付ける。このとき、気密ブロック１０が上下のパネルユニット９，９，９，９の縦枠１１，１２間に上下から挟み込まれ、上下方向に押し潰され、上下のパネルユニット９，９，９，９の縦枠１１，１２間の隙間を塞ぐ。
【００１８】
以上に述べたように本パネル体は、枠１の内周側面に取付けたガスケット３でパネル２ａ，２ｂの室外側を保持したので、室外側から見た枠１の見付寸法を小さくでき、意匠性が良く、且つパネル２ａ，２ｂを取付ける際の作業性も良い。枠１は、内周側面にあり溝４と、あり溝４よりも室内側に設けた係止部５を有し、ガスケット３は、嵌合部６を枠１のあり溝４に嵌合すると共に被係止部７を係止部５に係止して枠１の内周側面に取付けてあり、リップ部８がパネル２ａ，２ｂの室外側面に圧着していることで、パネル２ａ，２ｂに負圧が作用してもガスケット３でパネル２ａ，２ｂを安定して保持できる。一方、パネル２ａ，２ｂに正圧が作用すると、パネル２ａ，２ｂがガスケット３から離れようとするが、ガスケット３のリップ部８は、パネル当接面５９よりもパネル２ａ，２ｂ側（室内側）に倒れ込むように内周側に傾斜したものなのでパネル２ａ，２ｂの移動に追従して変形し、パネル２ａ，２ｂを押圧する作用が働くので、パネル２ａ，２ｂに正圧が作用してもパネル２ａ，２ｂを安定して保持でき、水の浸入を防ぐことができる。
さらに、ガスケット３の断面形状が三角形状であることで、ガスケット３の傾斜面による水切りの効果、ガスケット３が外観上目立ち難い効果、ガスケット３の材料費が抑えられ無駄がないといった効果がある。
さらに本パネル体は、枠１のあり溝４と係止部５がパネル２ａ，２ｂの端面よりも外周側にあることで、枠１に対してパネル２ａ，２ｂを取付けやすい。
本パネル体は、枠１の見付寸法を小さくできることで、意匠性を向上できると共に、材料費を削減できる。ガスケット３を黒色、枠１をシルバー色にすることで、ガスケット３が目立たずすっきりとした意匠を実現できる。本パネル体は、アルミ（枠１）がガラス（パネル２ａ，２ｂ）にかかっていないため、ガスケット３を大きくしなくてもよい。
【００１９】
また、本パネル体は、気密ブロック１０が下段の左右のパネルユニット９，９の縦枠１１，１２間に嵌合して配置してあり、上段の左右のパネルユニット９，９の縦枠１１，１２の下端と、上段の左右のパネルユニット９，９の縦枠１１，１２間に設けたウインドバリアガスケット４７の下端が気密ブロック１０の上面５３に当接しており、レインバリアガスケット４６の下端が気密ブロック１０の上面（本実施形態では凹部５６の底面５７）に対向していることで、パネルユニット９，９，９，９同士のつなぎ目部分の気密・水密性の確保が容易である。すなわち本パネル体は、従来、パネルユニットの角部４か所にキャッチパンをそれぞれ接着等で取付けていたことに代わり、下段の左右のパネルユニット９，９の縦枠１１，１２間に嵌合させて一つの気密ブロック１０を配置するだけでよく、施工性が格段に向上し、また、単一の気密ブロック１０を用いることで、部品点数が削減できるとともに、従来のキャッチパン同士の隙間からの漏水の心配がなくなるので、水密性も向上する。
気密ブロック１０は、下段の左右のパネルユニット９，９の縦枠１１，１２の雄部４３と雌部４５による嵌合部４８に嵌合して配置することで、気密ブロック１０の位置決めが容易である。
さらに、上段のパネルユニット９，９の下枠１４と下段のパネルユニット９，９の上枠１３との間に設けた気密材（ウインドバリアガスケット３８）の端部が気密ブロック１０の側面５８に当接していることで、上下方向だけでなく左右方向の気密・水密性も確保できる。
また、気密ブロック１０には上段の左右のパネルユニット９，９の縦枠１１，１２間に浸入した雨水をレインバリアガスケット４６よりも室外側に排水する排水経路６５を有しているので、縦枠１１，１２間に浸入した雨水を効率的に排水することができる。
本実施形態は、縦枠１１，１２間のレインバリアガスケット４６の下端が気密ブロック１０の上面に当接しないものであるが、上記のように気密ブロック１０に排水経路６５を有していることで、レインバリアガスケット４６の下端が気密ブロック１０の上面に当接する・しないにかかわらず、縦枠１１，１２間に浸入した雨水は、気密ブロック１０の上面に落ちた後、排水経路６５を通じて速やかに排水される。
【００２０】
本発明は以上に述べた実施形態に限定されない。枠の構成、パネルの材質等は問わない。気密ブロックの形状、材質は、適宜変更することができる。上段の左右のパネルユニットの縦枠間に設けたレインバリアの下端は、気密ブロックの上面に当接していてもよい。本発明は、カーテンウォールに限らず、パネルユニットを上下方向及び左右方向に並べて配置して構成されるパネル体全般に広く用いることができる。
【符号の説明】
【００２１】
１  枠
２ａ，２ｂ  パネル
３  ガスケット
４  あり溝
５  係止部
６  嵌合部
７  被係止部
８  リップ部
９  パネルユニット
１０  気密ブロック
１１，１２  縦枠
４６  レインバリアガスケット（レインバリア）
４７  ウインドバリアガスケット（ウインドバリア）
【図１】
2018204232.tif 000003
【図２】
2018204232.tif 000004
【図３】
2018204232.tif 000005
【図４】
2018204232.tif 000006
【図５】
2018204232.tif 000007
【図６】
2018204232.tif 000008
【図７】
2018204232.tif 000009
【図８】
2018204232.tif 000010
【図９】
2018204232.tif 000011
【図１０】
2018204232.tif 000012
【図１１】
2018204232.tif 000013
【図１２】
2018204232.tif 000014
【図１３】
2018204232.tif 000015
【図１４】
2018204232.tif 000016
【図１５】
2018204232.tif 000017